(57)【特許請求の範囲】
【請求項１】
金属シートの曲げおよび押し潰し加工装置のための曲げおよび押し潰し加工用ブレードであって、金属シートを９０°に曲げ加工するために、この金属シートの縁部と係合させるのに適合させた頭部面（１０）および、前記９０°に曲げた前記金属シートを９０°よりも大きい角度でさらに曲げ加工し、前記金属シートの残りの部分の上にほぼ１８０°に等しい角度で押し潰すのに適合させた脚部面（１１）を設けた曲げ加工用の歯（９）を具え、前記脚部面（１１）に、前記金属シートの押し潰し加工時にこの金属シートの曲面を収容するために対応した窪みを設けたことを特徴とするブレード。
【請求項２】
前記頭部面（１０）および前記脚部面（１１）が、前記前面（１５）によってほぼ直角に結合していることを特徴とする、請求項１記載の曲げおよび押し潰し加工用ブレード。
【請求項３】
固定されたカウンターブレード（１）と、曲げ加工する金属シートの縁部を所定の位置に固定するために前記カウンターブレード（１）と協動する移動可能なブランクホルダー（２）と、請求項１または２に記載のブレード（５）とを具える、金属シートの曲げおよび押し潰し加工装置であって、前記ブランクホルダー（２）に、前記金属シートの折り曲げた縁部の押し潰し加工操作中に前記金属シートを前記固定されたカウンターブレード（１）上に固定するために、前記ブランクホルダーの支持脚部（１３）より突出するように制御可能な加圧部材（１４）を設けたことを特徴とする装置。
【発明の詳細な説明】
【０００１】
【発明の属する技術分野】
本発明は、金属シートの曲げおよび押し潰し(squeezing)加工装置用の曲げおよび押し潰し加工用ブレードおよび、このブレードを用いた加工装置に関するものである。
【０００２】
【従来の技術】
金属シートの縁部を曲げるために曲げ加工装置が通常用いられ、曲げ加工を行う金属シートの縁部は、固定された曲げ加工用カウンターブレードと、その上にある移動式のブランクホルダーとの間で押し潰し加工される。
【０００３】
金属シート縁部の曲げ加工の操作は曲げ装置によって行われ、この曲げ装置は一つまたはそれ以上の曲げ加工用ブレードを有し、これらブレードは、金属シート縁部を、この金属シートの静止面に対して90°またはそれ以上の角度で曲げ加工を行うために上方および／または下方に駆動するように、固定されたカウンターブレードおよびブランクホルダーと共同して働く。
【０００４】
特に金属シートは、曲げ加工を行うために、固定されたカウンターブレードおよびブランクホルダーと組み合わされて底部から上部へ移動する曲げ加工用ブレードの動作によって上方へ曲げられ、金属シートは上方に90°曲げられ、次いで、必要に応じて、加工を行うために、ブランクホルダーと組み合わされて水平方向にも移動し、90°よりも大きい角度による曲げを達成するまで金属シートの追加の曲げ加工が行われる。
【０００５】
しかしながら、ブランクホルダーの形状は、ある限界、通常は120°〜150°を超える角度の曲げを実現するための、前述した曲げ加工用ブレードを許容せず、特に、金属シートの、他の部分の上に折り曲げた縁部の押し潰し加工を完成させることに対応した、180°に達する曲げを許容しない。
【０００６】
【発明が解決しようとする課題】
この従来技術の観点より、本発明の目的は、金属シート縁部の曲げ加工のみならず、180°の角度で押し潰し加工を行うことのできるような形状を有する曲げ加工用ブレードを実現することにある。
【０００７】
もう一つの目的は、上述したブレードにより金属シートの曲げ加工および押し潰し加工を行うのに適した曲げ加工装置を実現することにある。
【０００８】
【課題を解決するための手段】
本発明によれば、こうした目的は、金属シートを９０°曲げ加工するために、この金属シートの縁部と係合させるのに適合させた頭部面および、前記９０°に曲げた前記金属シートを９０°よりも大きい角度でさらに曲げ加工し、前記金属シートの残りの部分の上にほぼ１８０°に等しい角度で押し潰し加工するのに適合させた脚部面を設けた曲げ加工用の歯を具え、前記脚部面（１１）に、押し潰し加工を行った金属シートの曲面を収容するために対応した窪みを設けたことを特徴とする曲げ加工用ブレードによって得られる。
【０００９】
前記ブレードは金属シートの縁部を90°と等しいか、それよりも大きい角度で上方に曲げるために、また、必要に応じて金属シートの残りの部分の上に押し潰し加工するのに用いることが望ましい。押し潰し加工の実施を可能とするために、明らかに、事前にブランクホルダーを、固定されたカウンターブレードとの係合から上昇させる必要がある。金属シートは、それゆえカウンターブレード上でのみ支持されて残り、幾つかの形式の金属シートの場合、その折り曲げた縁部の正しい押し潰し加工を行うことを不可能とし得るような金属シートの移動を排除することはできない。
【００１０】
こうした起こりうる不具合を避けるために、ブランクホルダーには加圧部材が取り付けられ、この加圧部材は、圧力によって金属シートをカウンターブレード上に係合かつ保持するために、ブランクホルダーの脚部より突出することができるような操作が可能である。
【００１１】
【発明の実施の形態】
本発明の特徴は、添付図面中に非限定的な例として図示された実施形態の、以下の詳細な記載より明らかになるであろう。
【００１２】
図１は金属シートの曲げ加工ユニットを模式的に示すものであり、このユニットは固定したカウンターブレード１、このカウンターブレード１に対して垂直方向に近づき、また離れるように移動可能なブランクホルダー２および曲げ加工装置３を具え、曲げ加工装置３はブレードホルダー支持部４を具え、この支持部４には下側曲げ加工ブレード５および上側曲げ加工ブレード６が取り付けられている。ブレードホルダー４には、水平方向および垂直方向への二つの移動機構が設けられており、これらの機構は互いに適切に組み合わされている。これら機構の内の第一のものは図の符号７で示され、第二の機構は図示されていないが、ブレードホルダーに固定して取り付けられたブラケット８と結合していると考える。結果として、ブレードホルダーは、X-Y軸方向の複合運動を行うこととなる。
【００１３】
本発明によれば、下側曲げ加工ブレード５は頭部面10に曲げ加工用の歯を有し、この上面は、加工を行うために、金属シートの縁部と係合するのに適合されており、これとほぼ垂直な前面15と組み合わされて金属シートを90°の角度で上方に曲げ、また、90°の角度で折り畳んだ金属シートの縁部と係合するように適合されたほぼ水平な脚部面11と、金属シートを90°よりも大きな角度でさらに曲げ加工し、金属シートの残りの部分をほぼ180°までの角度に押し潰し加工できるように組み合わされる。
【００１４】
加工操作中は、曲げ加工を行う金属シートの縁部12は、カウンターブレード１とブランクホルダー２との間で押し潰し加工され（図１参照）、ブレードホルダー４の垂直方向の移動により、下側曲げ加工ブレード５の頭部面10およびそれによる前面15は、金属シートの残りの部分の90°の角度での上方への曲げを生じさせるために金属シート縁部の下面と係合するように案内される。
【００１５】
次いで、曲げ加工ブレード５の制限された垂直方向の運動を制御することにより、金属シート縁部の曲げを90°よりも大きい角度まで拡張させることが可能となる。この目的のために、図３に示すように、下側ブレード５の脚部面11を曲げ工具として、ブランクホルダー２の支持脚部13をカウンターブレードとして用いる。
【００１６】
最後に、ブランクホルダーを上昇させた後、下側曲げ加工ブレード５の脚部面11を、カウンターブレード１上にまだ残っている金属シートのすぐ次の部分の上への、折り畳まれた縁部16の押し潰し加工を完了させるために用いることができる。この目的のために、脚部面11を、固定されたカウンターブレード１に向かって面する端部より上方にわずかに傾斜させる、あるいは押し潰し加工を行った金属シートの曲面を収容するために、これに対応した窪みを設けることができる（図５参照）。
【００１７】
こうした動作中は、金属シートをカウンターブレード上の所定の位置に保持するために、ブランクホルダー２に加圧部材14を設けることができ、この加圧部材14は、図４に示すように、固定されたカウンターブレード１の上方から金属シート12を固定するためにブランクホルダーの脚部より下方へ突出するように油圧制御可能である。
【図面の簡単な説明】
【図１】  本発明による曲げおよび押し潰し加工装置に金属シートの固定および曲げユニットを設けた組立体の、曲げ操作の開始時における状態を模式的に示すものである。
【図２】  図１の組立体での、金属シートの縁部を上方に曲げる際の、最初に90°曲げた状態を示す図である。
【図３】  金属シートを、図２よりさらに90°曲げた状態を示す図である。
【図４】  折り畳まれた金属シートの縁部を押し潰し加工する状態を示す図である。
【図５】  本発明によるブレードの動作部分を拡大して示す図である。
【符号の説明】
１  カウンターブレード
２  ブランクホルダー
３  曲げ加工装置
４  ブレードホルダー支持部
５  下側曲げ加工ブレード
６  上側曲げ加工ブレード
７  ブレードホルダー４の移動機構
８  ブラケット
10  下側曲げ加工ブレード５の頭部面
11  下側曲げ加工ブレード５の脚部面
12  金属シート
13  ブランクホルダー２の支持脚部
15  下側曲げ加工ブレード５の前面
14  加圧部材
16  金属シートの縁部
【図１】
0004636654.tif 000002
【図２】
0004636654.tif 000003
【図３】
0004636654.tif 000004
【図４】
0004636654.tif 000005
【図５】
0004636654.tif 000006